(57)【要約】【課題】シートを切断する際にシートに切断刃が十分に密着することにより縦裂きや切り残しを発生することなく、良好に切断が可能なシート包装箱を提供する。【解決手段】底面板１０と前面板２０と左右の側面板３０ａ，３０ｂと背面板４０とからなる本体１００、及び上面板５０と懸垂板６０とからなる蓋体２００を備えたシート包装体において、側面板３０ａ，３０ｂの前面板２０側の高さＨ１を背面板４０側の高さＨ２よりも低くして、側面体３０ａ，３０ｂの上縁３２ａ，３２ｂを傾斜させ、前面板２０の上縁２２を側面板３０ａ，３０ｂの上縁３２ａの前面板２０側の端部の位置より低くすることにより、蓋体２００を閉じた際に懸垂板６０を強く前面板２０に押しつけ、該懸垂板６０の先端縁の内側に取り付けられた切断刃の先端を引き出したシートに強く押しつける。【選択図】図１
2015199507.tif 000002
【特許請求の範囲】
【請求項１】
底面板と、前記底面板の四方にそれぞれ折り部を介して連なると共に前記折り部を介して折り曲げて前記底面板より立ち上げられた前面板と左右の側面板と背面板と、を有し、前記前面板の上縁が、前記側面板の上縁の前記前面板側の端部と同じ位置又は前記端部よりも低い位置にある箱形の本体と、
前記背面板の上縁に折り部を介して連なると共に前記折り部を介して折り曲げることにより前記両側面板の上縁に接触して前記本体の上面開口を覆う上面板と、前記上面板の前縁に折り部を介して連なると共に前記折り部を介して折り曲げることにより前記前面板の外側に重なる懸垂板とを有する蓋体と、
前記懸垂板の先端縁に設けられた切断刃と、を備え、長尺シートの捲回ロールを前記本体内に収納するシート包装箱において、
前記側面板の上縁が前記背面板から前面板に向かって下方に傾斜していることを特徴とするシート包装箱。
【請求項２】
前記側面板の前記底面板に平行な方向の幅Ｗ１に対する、前記側面板の上縁の前後の高さの差ｈ１の割合（ｈ１／Ｗ１）が０．０２２〜０．０６７であることを特徴とする請求項１に記載のシート包装箱。
【請求項３】
前記懸垂板の先端にミシン目を介して連なる開封板を備え、前記開封板を前記前面板に固定することにより、直方体形状をなすことを特徴とする請求項１又は２に記載のシート包装箱。
【発明の詳細な説明】
【技術分野】
【０００１】
本発明は、長尺シートの捲回ロールを収納し、所望の長さのシートを引き出して切断するシート包装箱に関する。
【背景技術】
【０００２】
従来、ラップフィルムやクッキングシート、アルミホイルなどのシートの包装箱としては、箱形の本体内に収納した捲回ロールから引き出した長尺シートを、本体の前面板と、蓋体の懸垂板との間に挟み、懸垂板の先端縁に設けられた切断刃で切断する包装箱が知られている。例えば、特許文献１には、収納したシートの両側に縦皺を発生させることなく円滑に引き出し、所望の位置で切断することができるよう、本体の前面板の上端縁を両側端部にいくに従って漸次低となる弧状とした包装箱が開示されている。
【先行技術文献】
【特許文献】
【０００３】
【特許文献１】実開平５−２２３２６号公報
【発明の概要】
【発明が解決しようとする課題】
【０００４】
特許文献１に開示されているようなシート包装箱において、シートを切断した際に該シートが長尺方向に裂けてしまう縦裂きや切り残しが発生する場合があった。特に、クッキングシートはラップフィルムやアルミホイルなどよりも厚いために切りづらく、切り残しが生じやすい。また、ラップフィルムは縦裂きを起こした際に捲回ロールに巻き付いて引き出しにくくなるという二次的な問題もあった。このような縦裂きや切り残しが発生する原因の一つとして、引き出したシートを本体の前面板と蓋体の懸垂板との間に挟んだ際に、シートが切断刃に十分に密着していないことが考えられる。
【０００５】
本発明の課題は、引き出したシートが切断刃に十分に密着することにより、良好に該シートの切断が可能なシート包装箱を提供することにある。
【課題を解決するための手段】
【０００６】
本発明のシート包装箱は、底面板と、前記底面板の四方にそれぞれ折り部を介して連なると共に前記折り部を介して折り曲げて前記底面板より立ち上げられた前面板と左右の側面板と背面板と、を有し、前記前面板の上縁が、前記側面板の上縁の前記前面板側の端部と同じ位置又は前記端部よりも低い位置にある箱形の本体と、
前記背面板の上縁に折り部を介して連なると共に前記折り部を介して折り曲げることにより前記両側面板の上縁に接触して前記本体の上面開口を覆う上面板と、前記上面板の前縁に折り部を介して連なると共に前記折り部を介して折り曲げることにより前記前面板の外側に重なる懸垂板とを有する蓋体と、
前記懸垂板の先端縁に設けられた切断刃と、を備え、長尺シートの捲回ロールを前記本体内に収納するシート包装箱において、
前記側面板の上縁が前記背面板から前面板に向かって下方に傾斜していることを特徴とする。
【０００７】
本発明のシート包装箱においては、下記の構成を好ましい態様として含む。
前記側面板の前記底面板に平行な方向の幅Ｗ１に対する、前記側面板の上縁の前後の高さの差ｈ１の割合（ｈ１／Ｗ１）が０．０２２〜０．０６７である。
前記懸垂板にミシン目を介して連なる開封板を備え、前記開封板を前記前面板に固定することにより、直方体形状をなす。
【発明の効果】
【０００８】
本発明のシート包装箱においては、本体の側面板の上縁を背面板から前面板に向かって下方に傾斜させたことにより、シート切断時に切断刃の先端が本体方向に向いてシートと強く密着する。よって、縦裂きや切り残しを発生することなく、所望の位置で容易にシートを切断することができる。また、本発明のシート包装箱は、捲回ロールを収納して封止した状態では直方体形状とすることができるため、陳列、輸送の際に従来の包装体と同様に取り扱うことができる。
【図面の簡単な説明】
【０００９】
【図１】本発明のシート包装箱の一実施形態の展開図である。
【図２】本発明のシート包装箱の一実施形態の開封後の蓋体を開けた状態を示す斜視図である。
【図３】図２のシート包装箱の一実施形態の側面図である。
【図４】図２のシート包装箱の一方の側面板近傍の拡大図である。
【図５】本発明のシート包装箱の一実施形態の開封する様子を示した斜視図である。
【発明を実施するための形態】
【００１０】
以下、図面を参照して本発明の実施形態を説明するが、本発明は下記実施形態に限定されない。また、以下に参照する図面において、同じ符号は同様の構成要素を示す。尚、図中の一点鎖線は折り部を示す。また、下記の記載において「左右方向」とは、収納したシートの幅方向であり、図１における紙面上下方向を指す。
【００１１】
本発明に係るシート包装箱を図１〜図５を用いて詳細に説明する。
【００１２】
本発明のシート包装箱は、本体１００と、蓋体２００と、切断刃３００とを備えており、本体１００内にシート４０１の捲回ロール４００を収納して包装体とする。
【００１３】
本発明のシート包装箱は、図１に示すように、切断刃３００以外は１枚のシート材から切り出し、折り曲げて所定の箇所を接着剤等により固定することにより成形することができる。本発明の包装箱に用いられるシート材としては、通常、弾性、柔軟性を有する紙であり、表面に適宜樹脂層をコーティングしたものなども好ましく用いられる。また、切断刃３００は金属、樹脂、紙から別途形成され、蓋体２００の所定の位置に取り付けられる。
【００１４】
また、本発明のシート包装箱に収納されるシート４０１としては、主に食品、調理用のラップフィルムやアルミホイル、クッキングシートであるが、同様のシートであれば特に用途は限定されない。これらシート４０１は長尺シートの形態で提供され、円筒形の芯材に巻き取って、或いは芯材を用いずに円筒形に巻き取って捲回ロール４００とし、本発明のシート包装体の本体１００内に収納される。
【００１５】
図１、図２に示すように、本体１００は底面板１０と、該底面板１０の四方にそれぞれ折り部を介して連なる前面板２０と左右（図１においては紙面上下方向）の側面板３０ａ，３０ｂと背面板４０とを有している。そして、前面板２０と側面板３０ａ，３０ｂと背面板４０とを、それぞれ折り部を介して９０°に折り曲げて底面板１０より立ち上げることにより、箱形の本体１００が形成されている。本実施形態においては、前面板２０の左右に折り部を介して補助片２１ａ，２１ｂを、背面板４０の左右に折り部を介して補助片４１ａ，４１ｂを、それぞれ備えている。よって、前面板２０、側面板３０ａ，３０ｂ、背面板４０をそれぞれ底面板１０から立ち上げた際には、係る補助片２１ａと４１ａとをそれぞれ前面板２０と背面板４０とから折り部を介して９０°に折り曲げて側面板３０ａの内面に、補助片２１ｂと４１ｂとをそれぞれ前面板２０と背面板４０とから折り部を介して９０°に折り曲げて側面板３０ｂの内面に、それぞれ、接着剤を介して貼り付けて固定することができる。
【００１６】
本発明においては、前面板２０の上縁２２が、側面板３０ａ，３０ｂの上縁３２ａ，３２ｂの前面板２０側の端部と同じ位置又は該端部よりも低い位置にある。図４に示す実施形態では、前面板２０の上縁２２が、側面板３０ａ，３０ｂの上縁３２ａ，３２ｂの前面板２０側の端部よりも低い位置にあり、側面板３０ａ，３０ｂの前面板２０側の高さＨ１が、前面板２０の高さＨ３よりもｈ２だけ高くなっている。
【００１７】
蓋体２００は、本体１００の背面板４０の上縁に折り部を介して連なる上面板５０と、該上面板５０の前縁に折り部を介して連なる懸垂板６０と、を有している。よって、上面板５０を背面板４０から折り部を介して折り曲げ、さらに懸垂板６０を上面板５０から折り部を介して９０°折り曲げて固定することにより、懸垂板６０と上面板５０との境界の折り部の角度が９０°に固定された蓋体２００が成形される。本実施形態では上面板５０の左右に折り部を介して補助片５１ａ，５１ｂを、懸垂板６０の左右に補助片６１ａ，６１ｂを、それぞれ備えている。よって補助片５１ａ，５１ｂを上面板５０から折り部を介して９０°に折り曲げ、同様に補助片６１ａ，６１ｂを懸垂板６０から折り部を介して９０°に折り曲げ、補助片５１ａと６１ａ、５１ｂと６１ｂをそれぞれ貼り合わせることで容易に上記蓋体２００を成形することができる。
【００１８】
尚、蓋体２００には、図２、図３に示すようにシート４０１を切断するための切断刃３００が取り付けられており、該切断刃３００は、懸垂板６０の先端から切断刃３００の先端が突出するように懸垂板６０の内側に取り付けられる。
【００１９】
本実施形態においては、図１に示すように、懸垂板６０の先端にミシン目８０を介して該懸垂板６０に連なる開封板７０が配置されており、該開封板７０を本体１００の前面板２０に接着剤等によって貼付することで蓋体２００を本体１００に固定する。この時、懸垂板６０の内側に取り付けられた切断刃３００の先端は開封板７０によって覆われ、開封時には図５に示すように、ミシン目８０において開封板７０を切り離すことによって蓋体２００は開放可能となり、切断刃３００の先端が露出してシート４０１の切断が可能となる。
【００２０】
本発明の特徴は、図１，図３に示すように、本体１００の側面板３０ａ，３０ｂの上縁３２ａ，３２ｂが、背面板４０側から前面板２０側に向かって下方に傾斜していることにある。即ち、側面板３０ａ，３０ｂの背面板４０側の高さＨ２よりも前面板２０側の高さＨ１の方がｈ１だけ低くなっている。
【００２１】
本発明においては、前面板２０の上縁２２が、側面板３０の上縁３２ａ，３２ｂの前面板２０側の端部と同じ位置又は該端部よりも低い位置にあるため、図３に示すように、シート４０１を引き出し、蓋体２００を閉じて上面板５０が側面板３０ａ，３０ｂの上縁３２ａ，３２ｂに接触するように押さえた際には、該上面板５０も上縁３２ａ，３２ｂに沿って背面板４０側から前面板２０側に向かって傾斜する。側面板３０ａ，３０ｂの、上縁３２ａ，３２ｂと前面板２０側の端辺とがなす角部の角度は９０°を超える鈍角となっているのに対し、懸垂板６０は上面板５０から折り部を介して９０°の角度で折り曲げられている。そのため、側面板３０ａ，３０ｂの前面板２０側の端辺に接する懸垂板６０は、上面板５０側よりも先端側においてより強く前面板２０の端辺に押しつけられることになる。
【００２２】
さらに、本発明において、上面板５０の幅Ｗ２は側面板３０ａ，３０ｂの幅Ｗ１と等しく形成されている。側面板３０ａ，３０ｂの上縁３２ａ，３２ｂは傾斜した分、Ｗ１，Ｗ２よりも若干長くなっているため、該上縁３２ａ，３２ｂに上面板５０が接触して蓋体２００が閉じられた際、上面板５０は幅方向に引っ張られることになり、懸垂板６０が強く前面板２０の端辺に押しつけられることになる。
【００２３】
懸垂板６０の左右が強く側面板３０ａ，３０ｂの端辺に押しつけられることにより、懸垂板６０全体は隙間なく強く前面板２０に押しつけられることになり、該懸垂板６０の先端縁の内側に取り付けられた切断刃３００は、先端が本体１００の内側に向かって前面板２０に強く押しつけられることになる。よって、シート４０１を切断する際には、前面板２０とシート４０１と切断刃３００の先端とが互いに強く密着し、良好にシート４０１を切断することができる。特に、切断刃３００の先端を前面板２０に押しつける力は、前面板２０の端辺において最も強く、係る位置での密着性が最も高くなるため、切り残しなくシート４０１を切断することができる。
【００２４】
本発明において、側面板３０ａ，３０ｂの傾斜の程度、即ち側面板３０ａ，３０ｂの底面板に平行な方向の幅Ｗ１に対する、上縁３２ａ，３２ｂの前後の高さの差ｈ１の割合（ｈ１／Ｗ１）は、小さすぎると切断刃３００の先端をシート４０１に押しつける力が十分に得られず、また、大きすぎると上面板５０が側面板３０ａ，３０ｂの上縁３２ａ，３２ｂに接触しづらくなり、逆にシート４０１を切断しにくくなる。シート４０１の種類や包装体の材質、収納する捲回ロール４００の外径に応じたＷ１の値にもよるが、好ましくはｈ１／Ｗ１＝０．０２２〜０．０６７である。例えば、広く販売されているアルミホイルやラップフィルムの包装箱でＷ１＝４５ｍｍの場合、ｈ１は１．０〜３．０ｍｍ程度が好ましい。
【００２５】
また、本実施形態においては、側面板３０ａ，３０ｂの上縁３２ａ，３２ｂには折り部を介して連なる補助片３１ａ，３１ｂを備えていることから、該上縁３２ａ，３２ｂは該補助片３１ａ，３１ｂがない場合よりも強度が向上している。
【００２６】
本発明において、図４に示すように、側面板３０ａ，３０ｂの前面板２０側の高さＨ１が、前面板２０の高さＨ３よりもｈ２だけ高くなっている場合、上面板５０と前面板２０の上縁２２とが接触せず、ｈ２分の隙間が確保され、シート４０１を無理なく引き出すことができる。ｈ２の高さは１〜３ｍｍ程度が好ましい。
【００２７】
さらに、前記したように、本実施形態においては、開封板７０を用いることで開封直前まで切断刃３００を露出させずにおき、開封板７０を切り離すことで容易に包装体を開封することができる。ここで、懸垂板６０と開封板７０との幅の合計Ｈ５を背面板４０の幅Ｈ４と等しくしておくことで、包装箱を組み立てる際に、開封板７０の先端を前面板２０の下端に合わせて貼付すれば、側面板３０ａ，３０ｂの上縁３２ａ，３２ｂが傾斜していても、上面板５０は前後で傾斜しない。また、Ｈ５とＨ４とが等しくなくても、Ｈ５＜Ｈ４であれば、開封板７０を前面板２０に貼付する際に、開封板７０の先端を前面板２０の下端からずらすことで上面板５０を底面板１０と平行にすることができる。
【００２８】
このように、上面板５０を底面板１０と平行になるように組み立てることで包装体の形状を直方体とすることができる。その結果、従来の包装体と同様に、垂直方向に積み上げても滑り落ちる恐れがなく、従来と同様に輸送、陳列を行うことができる。
【００２９】
本発明のシート包装箱は、上記したように、切断刃３００の先端が前面板２０に強く密着するため、捲回ロール４００から引き出したシート４０１を所望の位置で切り始めから最後まで直線状に良好に切断することができる。また、包装体としては直方体であるため、輸送や陳列に際して従来の包装体と同様に取り扱うことができる。
【符号の説明】
【００３０】
１０：底面板、２０：前面板、２１ａ，２１ｂ：補助片、２２：前面板の上縁、３０ａ，３０ｂ：側面板、３１ａ，３１ｂ：補助片、３２ａ，３２ｂ：側面板の上縁、４０：背面板、４１ａ，４１ｂ：補助片、５０：上面板、５１ａ，５１ｂ：補助片、６０：懸垂板、６１ａ，６１ｂ：補助片、７０：開封板、８０：ミシン目、１００：本体、２００：蓋体、３００：切断刃、４００：捲回ロール、４０１：シート
【図１】
2015199507.tif 000003
【図２】
2015199507.tif 000004
【図３】
2015199507.tif 000005
【図４】
2015199507.tif 000006
【図５】
2015199507.tif 000007